(57)【要約】【課題】  モード分散を低減して信号波形を原形に近い形で伝送することが可能で、より高速な信号を伝送可能とする。【解決手段】  本発明の光ファイバ伝送システムでは、光伝送中にモード分散が大きくなって信号波形が劣化しても、途中の光中継装置１４で光信号出力時とほぼ同等の波形に戻されるようにする。この働きは、ＧＩファイバ１３１からの光信号（Ｐ３−１：光強度波形）を受光素子１４１で電気信号（Ｐ３−２：電圧／電流波形）に変換し、電気信号処理回路１４２で信号を変化させた後（Ｐ３−３：電圧／電流波形）に発光素子１４３で再び光信号化（Ｐ３−４：光強度波形）してＧＩファイバ１３２に出力する構成とし、電気信号処理回路１３２において、モード分散によって生じた信号の遅延部分をカットしてモード分散を無くした信号を生成出力することで実現される。【選択図】      図２
2005328301.tif 000002
【特許請求の範囲】
【請求項１】
光信号を伝送するグレーテッドインデックス型マルチモード光ファイバ（以下、ＧＩファイバ）と、
前記ＧＩファイバの途中または端点を含めて配置され、少なくとも前記光信号のモード分散を低減する特性を有する１または複数の光中継装置とを具備することを特徴とする光ファイバ伝送システム。
【請求項２】
前記光中継装置は、さらに出力する光信号の導波モードを少なくして伝達時間のずれを低減する特性を有することを特徴とする請求項１記載の光ファイバ伝送システム。
【請求項３】
前記光中継装置は、入力される光信号から高次モードの光を取り除くことによってモード分散を低減することを特徴とする請求項１記載の光ファイバ伝送システム。
【請求項４】
前記光中継装置は、入力される光信号の高次モードの光を物理的もしくは電気的手法で低次モードに変換することを特徴とする請求項１記載の光ファイバ伝送システム。
【請求項５】
前記光中継装置は、入力される光信号から低次モードの光を取り除くことによってモード分散を低減することを特徴とする請求項１記載の光ファイバ伝送システム。
【請求項６】
前記光中継装置は、入力される光信号の低次モードの光を物理的もしくは電気的手法で高次モードに変換することを特徴とする請求項１記載の光ファイバ伝送システム。
【請求項７】
前記光中継装置が複数個挿入され、それぞれの光中継装置が、さらに出力する光信号の導波モードを少なくして伝達時間のずれを低減する第１の手段、入力される光信号から高次モードの光を取り除く第２の手段、入力される光信号の高次モードの光を物理的もしくは電気的手法で低次モードに変換する第３の手段、入力される光信号から低次モードの光を取り除く第４の手段、入力される光信号の低次モードの光を物理的もしくは電気的手法で高次モードに変換する第５の手段の少なくともいずれかを採用することを特徴とする請求項１記載の光ファイバ伝送システム。
【請求項８】
グレーテッドインデックス型マルチモード光ファイバ（以下、ＧＩファイバ）を光信号の伝送媒体とする光ファイバ伝送システムに用いられ、
前記ＧＩファイバの途中または端点を含めて配置され、少なくとも前記光信号のモード分散を低減するモード分散低減手段を備えることを特徴とする光中継装置。
【請求項９】
さらに、出力する光信号の導波モードを少なくして伝達時間のずれを低減する伝送時間ずれ低減手段を備えることを特徴とする請求項８記載の光中継装置。
【請求項１０】
前記モード分散低減手段は、入力される光信号から高次モードの光を取り除くことによってモード分散を低減することを特徴とする請求項８記載の光中継装置。
【請求項１１】
前記モード分散低減手段は、入力される光信号の高次モードの光を物理的もしくは電気的手法で低次モードに変換することを特徴とする請求項８記載の光中継装置。
【請求項１２】
前記モード分散低減手段は、入力される光信号から低次モードの光を取り除くことによってモード分散を低減することを特徴とする請求項８記載の光中継装置。
【請求項１３】
前記モード分散低減手段は、入力される光信号の低次モードの光を物理的もしくは電気的手法で高次モードに変換することを特徴とする請求項８記載の光中継装置。
【発明の詳細な説明】
【技術分野】
【０００１】
本発明は複数のモードが発生する可能性がある光ファイバを用いて光信号を伝送する光ファイバ伝送システムに関する。
【背景技術】
【０００２】
周知のように、複数のモードが存在する光信号伝送媒体としてＭＭＦ（マルチモード光ファイバ）が多種存在するが、ＭＭＦでは伝送中に多くの異なる導波モードが存在する。この導波モードは、高次のモードほどファイバの入射端から出射端への光の伝達距離が長くなり、伝達時間も長くなる。このため、ＭＭＦではモード分散と呼ばれる信号波形の広がりが生じる。分散は距離に応じて大きくなり、長距離なほど速い帯域での信号伝送が困難になる。
【０００３】
この変化を抑えるために、従来からＧＩファイバ（グレーテッドインデックス型マルチモード光ファイバ）が考案されている。このＧＩファイバでは、ファイバコアの屈折率分布を各導波モードでの伝達時間が等しくなるように最適化することでモード分散を低減している。しかしながら、理論値どおりの屈折率分布を持つファイバを製造することは難しく、ＧＩファイバでの光信号の伝送を考えるときにはモード分散が信号品質にもっとも大きな影響を及ぼす。
【０００４】
ＧＩファイバのモード分散を補償する方法として、２つの異なる性質を持つＧＩファイバを接続する方法（例えば非特許文献１参照）が考案されている。しかしながら、この方法では２種類のファイバの長さ比を調整する必要があり、また、補償用のファイバの長さが長くなり、小型化が難しい等の問題点が存在する。
【非特許文献１】Compensation of Intermodal Dispersion by Splicing Two Grated-Index Multimode Fibers, Morishita et al, IEEE Trans. MTT, 82(5),1982,694-700
【発明の開示】
【発明が解決しようとする課題】
【０００５】
以上述べたように、モード分散は原理的に伝送距離と伝送速度に影響を及ぼすので、ＧＩファイバの伝送距離と伝送速度はモード分散の特性によって決まってしまうという問題がある。このため、ＧＩファイバは伝送される光の損失は十分小さいが、モード分散による影響のために伝送距離が決まってしまうので、その低損失性を生かしきれていないという問題がある。
【０００６】
本発明は上記の問題を解決し、ＧＩファイバの低損失性を活かしつつ、伝送される光信号のモード分散を効果的に低減することが可能な光ファイバ伝送システムとこのシステムに用いられる光中継装置を提供することを目的とする。
【課題を解決するための手段】
【０００７】
上記課題を解決するため、本発明に係る光ファイバ伝送システムは、以下のように構成される。
【０００８】
（１）光信号を伝送するグレーテッドインデックス型マルチモード光ファイバ（以下、ＧＩファイバ）と、前記ＧＩファイバの途中または端点を含めて配置され、少なくとも前記光信号のモード分散を低減する特性を有する１または複数の光中継装置とを具備することを特徴とする。
【０００９】
（２）（１）の構成において、前記光中継装置は、さらに出力する光信号の導波モードを少なくして伝達時間のずれを低減する特性を有することを特徴とする。
【００１０】
（３）（１）の構成において、前記光中継装置は、入力される光信号から高次モードの光を取り除くことによってモード分散を低減することを特徴とする。
【００１１】
（４）（１）の構成において、前記光中継装置は、入力される光信号の高次モードの光を物理的もしくは電気的手法で低次モードに変換することを特徴とする。
【００１２】
（５）（１）の構成において、前記光中継装置は、入力される光信号から低次モードの光を取り除くことによってモード分散を低減することを特徴とする。
【００１３】
（６）（１）の構成において、前記光中継装置は、入力される光信号の低次モードの光を物理的もしくは電気的手法で高次モードに変換することを特徴とする。
【００１４】
（７）（１）の構成において、前記光中継装置が複数個挿入され、それぞれの光中継装置が、さらに出力する光信号の導波モードを少なくして伝達時間のずれを低減する第１の手段、入力される光信号から高次モードの光を取り除く第２の手段、入力される光信号の高次モードの光を物理的もしくは電気的手法で低次モードに変換する第３の手段、入力される光信号から低次モードの光を取り除く第４の手段、入力される光信号の低次モードの光を物理的もしくは電気的手法で高次モードに変換する第５の手段の少なくともいずれかを採用することを特徴とする。
【００１５】
また、本発明に係る光中継装置は、以下のように構成される。
【００１６】
（８）グレーテッドインデックス型マルチモード光ファイバ（以下、ＧＩファイバ）を光信号の伝送媒体とする光ファイバ伝送システムに用いられ、前記ＧＩファイバの途中または端点を含めて配置され、少なくとも前記光信号のモード分散を低減するモード分散低減手段を備えることを特徴とする。
【００１７】
（９）（８）の構成において、さらに、出力する光信号の導波モードを少なくして伝達時間のずれを低減する伝送時間ずれ低減手段を備えることを特徴とする。
【００１８】
（１０）（８）の構成において、前記モード分散低減手段は、入力される光信号から高次モードの光を取り除くことによってモード分散を低減することを特徴とする。
【００１９】
（１１）（８）の構成において、前記モード分散低減手段は、入力される光信号の高次モードの光を物理的もしくは電気的手法で低次モードに変換することを特徴とする。
【００２０】
（１２）（８）の構成において、前記モード分散低減手段は、入力される光信号から低次モードの光を取り除くことによってモード分散を低減することを特徴とする。
【００２１】
（１３）（８）の構成において、前記モード分散低減手段は、入力される光信号の低次モードの光を物理的もしくは電気的手法で高次モードに変換することを特徴とする。
【００２２】
以上のように、本発明の特徴とする点は、光信号の伝送媒体となるＧＩファイバの途中または端点を含めて一つ又は複数の光中継装置を取り付け、モード分散を低減することにある。この光中継装置は、製造後のファイバに取り付けたり、製造中に取り付けたり、ファイバ自身に本発明による光中継装置と同様の機能を任意の間隔で持たせたりすることで実現することができる。
【００２３】
上記構成により、モード分散が補償され、より高速な信号伝送や、より信号源の信号波形に忠実な信号伝送を可能となる。
【００２４】
尚、光信号の到達時間のずれが本発明のモード分散補償が効果的に適用できる範囲、例えば１周期以下に収まっている状態で補償することが望ましい。ただし、ここでいうずれは、最終的に光受信装置で信号として認められる光信号のみを対象とするものであり、微弱な光信号や伝送途中で失われる光信号は対象としない。また、ずれが１周期以下での補償に本発明の範囲を限定するものではない。
【発明の効果】
【００２５】
本発明に係る光ファイバ伝送システムでは、光中継装置が、入力される光信号のモード分散を低減する機能や出力する光信号の導波モードを少なくして伝達時間のずれを低減する機能の何れか又は双方を備えているので、当該を通して伝送される光信号のモード分散を低減することができる。
【００２６】
本発明では、モード分散低減を効果的に適用できる距離（各導波モードの到達時間のずれが一定値以下の距離、例えばずれが信号の１周期以下の距離）毎に本発明に係る光中継装置を配置していくので、光中継装置を通過した後の光信号の発信源から到達時間は、ほぼファイバ断面の全域でほぼ等しくなる。ただし、減衰して信号光に適しない光強度になっているものは除いて考えるものとする。
【００２７】
本発明による光中継装置の通過後、再びモード分散は大きくなっていくが、本発明による光中継装置のモード分散低減が効果的な範囲で次の光中継装置に接続されるので、再びモード分散は低減される。光伝送路に本発明のモード分散補償が効果的な範囲毎に本発明の光中継装置を配置することによって、モード分散による信号波形の変化を小さくし、高速な信号伝送を可能とする。
【００２８】
以上の説明から明らかなように、本発明によれば、モード分散を低減することで信号波形を原形に近い形で伝送することが可能で、より高速な信号を伝送することのできる光ファイバ伝送システムとこのシステムに用いられる光中継装置を提供することができる。
【発明を実施するための最良の形態】
【００２９】
まず、本発明に係る光ファイバシステムを説明するに先立ち、従来のシステム構成とその問題点を説明する。
【００３０】
図１は一般的な光ファイバ伝送システムの構成を示すブロック図である。このシステムは、光送信装置１１と光受信装置１２の間を単にＧＩファイバ１３で光接続したもので、図１中のＰ１−１〜Ｐ１−５はそれぞれＧＩファイバ１３の上流から下流に向けて伝送される光信号の５地点における光強度波形を順に示している。各地点の波形Ｐ１−１〜Ｐ１−５を見て明らかなように、光信号はその伝送距離が長くなるに従ってモード分散の影響を強く受けて信号成分が失われていく。その伝送可能な距離は、光信号の速度が上がるに従って短くなる。このように、ＧＩファイバ１３は伝送される光の損失が十分小さいという低損失性を有するが、モード分散による影響のために伝送距離が決まってしまうので、その低損失性を生かしきれていない。
【００３１】
以下、図面を参照して本発明の実施の形態を詳細に説明する。尚、以下の説明において、同一の構成部分には同一符号を付して示し、重複する説明は省略する。
【００３２】
（第１の実施形態）
図２は本発明に係る第１の実施形態の光ファイバ伝送システムの構成を示すブロック図である。このシステムでは、光送信装置１１から送出される光信号を光受信装置１２に伝送するＧＩファイバ１３に対し、途中、本実施形態の光中継装置１４をその伝送路長及び信号光の速度に対応する間隔で挿入して使用する（図では２個）。
【００３３】
図２において、Ｐ２−１は光送信装置１１の出力光信号の光強度波形、Ｐ２−２，Ｐ２−３はそれぞれ初段の光中継装置１４の入出力光信号の光強度波形、Ｐ２−４，Ｐ２−５はそれぞれ２段目の光中継装置１４の入出力光信号の光強度波形、Ｐ２−６は光受信装置１２の入力光信号の光強度波形を模式的に示している。これらの図に示すように、本システムでは、光伝送中にモード分散が大きくなって信号波形が劣化しても、途中の光中継装置１４で光信号出力時とほぼ同等の波形に戻されるようにする。
【００３４】
この働きは、例えば図３に示すような光電効果を持つ光部品と簡単な電気回路によって実現することができる。この場合、ＧＩファイバ１３１からの光信号（Ｐ３−１：光強度波形）を受光素子１４１で電気信号（Ｐ３−２：電圧／電流波形）に変換し、電気信号処理回路１４２で信号を変化させた後（Ｐ３−３：電圧／電流波形）に発光素子１４３で再び光信号化（Ｐ３−４：光強度波形）してＧＩファイバ１３２に出力する構成となっている。このとき、電気信号処理回路１３２では、モード分散によって生じた信号の遅延部分をカットすることでモード分散を無くした信号を生成出力する。
【００３５】
図３の例では、光中継装置１４は入力される光信号のモード分散を無くす機能を有していることとなる。モード分散によって大きく信号が劣化する前に、本発明に係る光中継装置１４で元の信号波形に戻すことで、最終的にＰ２−６に示すような良好な光信号を光受信装置１２へ送ることができる。その結果、光信号を従来よりも高速に長距離伝送することが可能となる。
【００３６】
（第２の実施形態）
図４は本発明に係る第２の実施形態の光ファイバ伝送システムの構成を示すブロック図である。このシステムでは、光送信装置１１から送出される光信号を光受信装置１２に伝送するＧＩファイバ１３に対し、途中、本実施形態の光中継装置１５をその伝送路長及び信号光の速度に対応する間隔で挿入して使用する（図では２個）。
【００３７】
図４において、Ｐ３−１は光送信装置１１の出力光信号の光強度波形、Ｐ３−２，Ｐ３−３はそれぞれ初段の光中継装置１５の入出力光信号の光強度波形、Ｐ３−４，Ｐ３−５はそれぞれ２段目の光中継装置１５の入出力光信号の光強度波形、Ｐ３−６は光受信装置１２の入力光信号の光強度波形を模式的に示している。これらの図に示すように、本システムでは、光伝送中にモード分散が大きくなって信号波形が劣化しても、光強度は落ちるものの、途中の光中継装置１５で光信号出力時とほぼ同等の波形に戻されるようにする。
【００３８】
この働きは、例えば図５に示すように、シングルモードファイバを用いることで実現することができる。この場合、ＧＩフィルタ１３１から入射される光信号（Ｐ５−１：光強度波形）は光学レンズ１５１によってシングルモードファイバ１５２に送られる。シングルモードファイバ１５２内では基底モード以外の導波モードの光は減衰して失われる。その結果、シングルモードファイバ１５２に入射された光信号はモード分散の無い単一の導波モードのみの光信号（Ｐ５−２：光強度波形）となって元のＧＩファイバ１３２に出力される。
【００３９】
図５の例では、光中継装置１５は入力される光信号のモード分散を低減する機能と出力する光信号の導波モードを少なくして伝達時間のずれを低減する機能の双方を有していることとなる。モード分散によって大きく信号が劣化する前に、本発明に係る光中継装置１５を挿入することで、最終的にＰ４−６に示すような良好な光信号を光受信装置１２へ送ることができる。その結果、光信号を従来よりも高速に長距離伝送することが可能となる。
【００４０】
（第３の実施形態）
図６は本発明に係る第３の実施形態の光ファイバ伝送システムの構成を示すブロック図である。このシステムでは、光送信装置１１から送出される光信号を光受信装置１２に伝送するＧＩファイバ１３に対し、途中、本実施形態の光中継装置１６をその伝送路長及び信号光の速度に対応する間隔で挿入して使用する（図では２個）。
【００４１】
図６において、Ｐ６−１は光送信装置１１の出力光信号の光強度波形、Ｐ６−２，Ｐ６−３はそれぞれ初段の光中継装置１６の入出力光信号の光強度波形、Ｐ６−４，Ｐ６−５はそれぞれ２段目の光中継装置１６の入出力光信号の光強度波形、Ｐ６−６は光受信装置１２の入力光信号の光強度波形を模式的に示している。これらの図に示すように、本システムでは、光伝送中にモード分散が大きくなって信号波形が劣化しても、光強度は落ちるものの、途中の光中継装置１５で信号の判別が可能な波形に戻されるようにする。
【００４２】
この働きは、例えば図７に示すように、ピンホール状にファイバコア中心のみ光を透過する光学素子１６１によって実現することができる。この場合、ＧＩフィルタ１３１から入射される光信号（Ｐ７−１：光強度波形）は光学素子１６１に照射される。この光学素子１６１では、入射光の外側の光成分を遮光し、中心部分のみを透過して元のＧＩフィルタ１３２に導く。このため、入射光のうちファイバコアの外側を伝播してくるモードは失われるので、一般に低次側の導波モードで伝播される光信号（Ｐ７−２：光強度波形）が残る。その結果、光の伝播時間の差が小さくなるのでモード分散を低減することができる。
【００４３】
図７の例では、入力される光信号のモード分散を低減する機能と、出力する光信号の導波モードを少なくして伝達時間のずれを低減する機能の双方を有していることとなる。モード分散によって大きく信号が劣化する前に、本発明に係る光中継装置１６を挿入することで、最終的にＰ６−６に示すような判別可能な光信号を光受信装置１２へ送ることができる。この結果、光信号を従来よりも高速に長距離伝送することが可能となる。
【００４４】
（第４の実施形態）
図８は本発明に係る第４の実施形態の光ファイバ伝送システムの構成を示すブロック図である。このシステムでは、光送信装置１１から送出される光信号を光受信装置１２に伝送するＧＩファイバ１３に対し、途中、本実施形態の光中継装置１７をその伝送路長及び信号光の速度に対応する間隔で挿入して使用する（図では２個）。
【００４５】
図８において、Ｐ８−１は光送信装置１１の出力光信号の光強度波形、Ｐ８−２，Ｐ８−３はそれぞれ初段の光中継装置１７の入出力光信号の光強度波形、Ｐ８−４，Ｐ８−５はそれぞれ２段目の光中継装置１７の入出力光信号の光強度波形、Ｐ８−６は光受信装置１２の入力光信号の光強度波形を模式的に示している。これらの図に示すように、本システムでは、光伝送中にモード分散が大きくなって信号波形が劣化しても、光強度は落ちるものの、途中の光中継装置１７で信号の判別が可能な波形に戻されるようにする。
【００４６】
この働きは、例えば図９に示すように、ファイバコア中心部は光を透過せずコア周辺部のみ透過する光学素子１７１によって実現することができる。この場合、ＧＩフィルタ１３１から入射される光信号（Ｐ９−１：光強度波形）は光学素子１７１に照射される。この光学素子１７１では、入射光の中心部分を遮光し、外側の部分のみを透過して元のＧＩフィルタ１３２に導く。このため、入射光のうちファイバコアの中心部を伝播してくるモードは失われるので、一般に高次側の導波モードで伝播される光信号（Ｐ９−２：光強度波形）が残る。その結果、光の伝播時間の差が小さくなるのでモード分散を低減することができる。
【００４７】
図９の例では、入力される光信号のモード分散を低減する機能と、出力する光信号の導波モードを少なくして伝達時間のずれを低減する機能の双方を有していることとなる。モード分散によって大きく信号が劣化する前に、本発明に係る光中継装置１７を挿入することで、最終的にＰ８−６に示すような判別可能な光信号を光受信装置１２へ送ることができる。この結果、光信号を従来よりも高速に長距離伝送することが可能となる。
【００４８】
（第５の実施形態）
図１０は本発明に係る第５の実施形態の光ファイバ伝送システムの構成を示すブロック図である。このシステムでは、光送信装置１１から送出される光信号を光受信装置１２に伝送するＧＩファイバ１３に対し、途中、本実施形態の光中継装置１８をその伝送路長及び信号光の速度に対応する間隔で挿入して使用する（図では２個）。
【００４９】
図１０において、Ｐ１０−１は光送信装置１１の出力光信号の光強度波形、Ｐ１０−２，Ｐ１０−３はそれぞれ初段の光中継装置１７の入出力光信号の光強度波形、Ｐ１０−４，Ｐ１０−５はそれぞれ２段目の光中継装置１７の入出力光信号の光強度波形、Ｐ１０−６は光受信装置１２の入力光信号の光強度波形を模式的に示している。これらの図に示すように、本システムでは、モード分散により劣化した信号全体をそのまま極く低次のモードの信号に変換することで、それ以降の信号の劣化を抑制する働きをする。
【００５０】
この働きは、例えば図１１のように凸、凹の光学レンズ１８１，１８２を組み合わせによって実現することができる。この場合、ＧＩフィルタ１３１から入射される光信号（Ｐ１１−１：光強度波形）は光学レンズ１８１，１８２を介して元のＧＩフィルタ１３２に戻される。すなわち、入力された光は入射角の小さい状態でコア中心近傍に出力されることとなる。出力される光信号（Ｐ１１−２：光強度波形）は導波モードを下げた状態で出力されることとなるので、出力後のモード分散を低減することができる。
【００５１】
図１１の例では、出力する光信号の導波モードを少なくして伝達時間のずれを低減する機能を有していることとなる。モード分散によって大きく信号が劣化する前に、本発明に係る光中継装置１８を挿入することで、最終的にＰ１０−６に示すような判別可能な信号を光受信装置１２へ送ることができる。この結果、光信号を従来よりも高速に長距離伝送することが可能となる。
【００５２】
（その他の実施形態）
上記第１〜第５の実施形態には、それぞれその予想される特徴があり、これらを組み合わせることでその短所を補い、より効率良く本発明の効果を得ることができる。例えば、第１の実施形態の光中継装置１４では比較的高価でサイズが大きくなることが予想されるが、最も高品質な信号を送信できることが予想される。逆に第３、第４の実施形態の光中継装置１５，１６では比較的安価でサイズが小さくなることが予想されるが、信号の品質は劣ることが予想される。
【００５３】
そこで、第３の実施形態で伝送した信号を第１の実施形態でさらに補正することで、安価により高速に長距離伝送することができると予想される。このように上記第１〜第５の実施形態を組み合わせて使用することで、光信号を従来よりも高速に長距離伝送することが可能となる。これには一つの伝送路に複数の種類の光中継装置を取り付ける場合と一つの光中継装置に複数の機能を持たせる場合の２つの実施方法がある。
【００５４】
その他、本発明の要旨を逸脱しない範囲で種々変形してもよいことは勿論である。
【図面の簡単な説明】
【００５５】
【図１】一般的なＧＩファイバを用いた光ファイバ伝送システムの構成を示すブロック図。
【図２】本発明に係る光ファイバ伝送システムの第１の実施形態の構成を示すブロック図。
【図３】図２に示す光中継装置の具体的な構成を示すブロック図。
【図４】本発明に係る光ファイバ伝送システムの第２の実施形態の構成を示すブロック図。
【図５】図４に示す光中継装置の具体的な構成を示すブロック図。
【図６】本発明に係る光ファイバ伝送システムの第３の実施形態の構成を示すブロック図。
【図７】図６に示す光中継装置の具体的な構成を示すブロック図。
【図８】本発明に係る光ファイバ伝送システムの第４の実施形態の構成を示すブロック図。
【図９】図８に示す光中継装置の具体的な構成を示すブロック図。
【図１０】本発明に係る光ファイバ伝送システムの第５の実施形態の構成を示すブロック図。
【図１１】図１０に示す光中継装置の具体的な構成を示すブロック図。
【符号の説明】
【００５６】
１１…光送信装置
１２…光受信装置
１３…ＧＩフィルタ
１４，１５，１６，１７，１８…光中継装置
【図１】
2005328301.tif 000003
【図２】
2005328301.tif 000004
【図３】
2005328301.tif 000005
【図４】
2005328301.tif 000006
【図５】
2005328301.tif 000007
【図６】
2005328301.tif 000008
【図７】
2005328301.tif 000009
【図８】
2005328301.tif 000010
【図９】
2005328301.tif 000011
【図１０】
2005328301.tif 000012
【図１１】
2005328301.tif 000013